(57)【要約】【課題】本発明は、駆動マージンを確保し、誤放電を防止するプラズマディスプレイ装置の駆動方法を提供するためのものである。【解決手段】本発明のプラズマディスプレイ装置の駆動方法は、アドレス区間の間、スキャン電極にスキャンパルスを印加する段階と、アドレス区間の間、スキャンパルスに対応するデータパルスをアドレス電極に印加する段階と、を含み、前記スキャンパルスはスキャン基準電圧から第１中間電圧まで下降した後、第１中間電圧を維持してからスキャン電圧まで下降する。【選択図】図１
2007249207.tif 000002
【特許請求の範囲】
【請求項１】
アドレス区間の間、スキャン電極にスキャンパルスを印加する段階と、
前記アドレス区間の間、前記スキャンパルスに対応するデータパルスをアドレス電極に印加する段階とを含み、
前記スキャンパルスは、スキャン基準電圧から第１中間電圧まで下降した後、前記第１中間電圧を維持してからスキャン電圧まで下降することを特徴とするプラズマディスプレイ装置の駆動方法。
【請求項２】
前記スキャンパルスは、前記スキャン電圧から第２中間電圧まで上昇した後、前記第２中間電圧を維持してから前記スキャン基準電圧まで上昇することを特徴とする請求項１記載のプラズマディスプレイ装置の駆動方法。
【請求項３】
前記スキャンパルスのスキャン電圧が前記スキャン電極に供給される間、前記データパルスのデータ電圧が前記アドレス電極に供給されることを特徴とする請求項１記載のプラズマディスプレイ装置の駆動方法。
【請求項４】
前記第１中間電圧の絶対値と前記第２中間電圧の絶対値は実質的に同一であることを特徴とする請求項２記載のプラズマディスプレイ装置の駆動方法。
【請求項５】
前記アドレス区間以後のサステイン区間の間、
前記スキャン電極に前記正極性の電圧と負極性の電圧を交互に有するサステインパルスが印加され、サステイン電極にグラウンド電圧が印加されることを特徴とする請求項１記載のプラズマディスプレイ装置の駆動方法。
【請求項６】
前記アドレス区間以後のサステイン区間の間、
サステイン電極に前記正極性の電圧と負極性の電圧を交互に有するサステインパルスが印加され、前記スキャン電極にグラウンド電圧が印加されることを特徴とする請求項１記載のプラズマディスプレイ装置の駆動方法。
【請求項７】
アドレス区間の間、スキャン電極に第１スキャンパルスを印加する段階と、
前記アドレス区間の間、前記スキャン電極に前記第１スキャンパルスより遅く印加される第２スキャンパルスを印加する段階とを含み、
前記第１スキャンパルスの第１スキャン電圧の絶対値は、前記第２スキャンパルスの第２スキャン電圧の絶対値より小さいことを特徴とするプラズマディスプレイ装置の駆動方法。
【請求項８】
前記アドレス区間以後のサステイン区間の間、
前記スキャン電極に正極性の電圧と負極性の電圧を交互に有するサステインパルスが印加され、サステイン電極にグラウンド電圧が印加されることを特徴とする請求項７記載のプラズマディスプレイ装置の駆動方法。
【請求項９】
前記サステインパルスの負極性の電圧の絶対値は、前記第２スキャンパルスのスキャン基準電圧の絶対値より大きく、前記第２スキャン電圧の絶対値より小さいことを特徴とする請求項８記載のプラズマディスプレイ装置の駆動方法。
【請求項１０】
前記アドレス区間以後のサステイン区間の間、
サステイン電極に正極性の電圧と負極性の電圧を交互に有するサステインパルスが印加され、前記スキャン電極にグラウンド電圧が印加されることを特徴とする請求項７記載のプラズマディスプレイ装置の駆動方法。
【請求項１１】
前記サステインパルスの負極性の電圧の絶対値は、前記第２スキャンパルスのスキャン基準電圧の絶対値より大きく、前記第２スキャン電圧の絶対値より小さいことを特徴とする請求項１０記載のプラズマディスプレイ装置の駆動方法。
【請求項１２】
前記第２スキャンパルスは、スキャン基準電圧から第１中間電圧まで下降した後、前記第１中間電圧を維持してから前記第２スキャン電圧まで下降することを特徴とする請求項７記載のプラズマディスプレイ装置の駆動方法。
【請求項１３】
前記第２スキャンパルスは、前記第２スキャン電圧から第２中間電圧まで上昇した後、前記第２中間電圧を維持してから前記スキャン基準電圧まで上昇することを特徴とする請求項１２記載のプラズマディスプレイ装置の駆動方法。
【請求項１４】
前記第２スキャンパルスの前記第２スキャン電圧が前記スキャン電極に供給される間、前記第２スキャンパルスに対応するデータパルスのデータ電圧が前記アドレス電極に供給されることを特徴とする請求項１２記載のプラズマディスプレイ装置の駆動方法。
【請求項１５】
前記第１中間電圧の絶対値と前記第２中間電圧の絶対値は、実質的に同一であることを特徴とする請求項１３記載のプラズマディスプレイ装置の駆動方法。
【請求項１６】
前記第１スキャンパルスは、スキャン基準電圧から第３中間電圧まで下降した後、前記第３中間電圧を維持してから前記第１スキャン電圧まで下降することを特徴とする請求項１２記載のプラズマディスプレイ装置の駆動方法。
【請求項１７】
前記第１スキャンパルスは、前記第１スキャン電圧から第４中間電圧まで上昇した後、前記第４中間電圧を維持してから前記スキャン基準電圧まで上昇することを特徴とする請求項１６記載のプラズマディスプレイ装置の駆動方法。
【請求項１８】
前記第１スキャンパルスの前記第１スキャン電圧が前記スキャン電極に供給される間、前記第１スキャンパルスに対応するデータパルスのデータ電圧が前記アドレス電極に供給されることを特徴とする請求項１６記載のプラズマディスプレイ装置の駆動方法。
【請求項１９】
前記第３中間電圧の絶対値と前記第４中間電圧の絶対値は実質的に同一であることを特徴とする請求項１７記載のプラズマディスプレイ装置の駆動方法。
【発明の詳細な説明】
【技術分野】
【０００１】
本発明は、ディスプレイ装置に関し、より詳しくは、プラズマディスプレイ装置の駆動方法に関する。
【背景技術】
【０００２】
一般に、ディスプレイ装置の中で、プラズマディスプレイ装置は、プラズマディスプレイパネルとプラズマディスプレイパネルを駆動するための駆動部とを含む。
【０００３】
一般に、プラズマディスプレイパネルは、前面パネルと後面パネルとの間に形成された隔壁が１つの放電セルをなすものであって、各放電セル内には、ネオン（Ｎｅ）、ヘリウム（Ｈｅ）、またはネオン及びヘリウムの混合気体（Ｎｅ＋Ｈｅ）のような主放電気体と少量のキセノン（Ｘｅ）を含有する不活性ガスが充填されている。
【０００４】
このような放電セルが複数個が集まって１つのピクセル（Pixel）をなす。例えば、赤色（Red、Ｒ）放電セル、緑色（Green、Ｇ）放電セル、青色（Blue、Ｂ）放電セルが集まって１つのピクセルをなすものである。
【０００５】
そして、このようなプラズマディスプレイパネルは、高周波電圧により放電される際、不活性ガスは、真空紫外線（Vacuum Ultraviolet rays）を発生し、隔壁間に形成された蛍光体を発光させて画像が具現される。このようなプラズマディスプレイパネルは、軽量薄型の構成が可能であるので、次世代の表示装置として脚光を浴びている。
【０００６】
一方、従来のプラズマディスプレイ装置は、電極間の電圧差及び電極に形成される壁電荷の消失などにより、電極間に放電が生じなかったり誤放電が発生する問題点がある。
【発明の開示】
【発明が解決しようとする課題】
【０００７】
本発明は、駆動マージンを確保し、誤放電を防止することを目的とする。
【課題を解決するための手段】
【０００８】
本発明の一実施形態に係るプラズマディスプレイ装置の駆動方法は、アドレス区間の間、スキャン電極にスキャンパルスを印加する段階と、前記アドレス区間の間、前記スキャンパルスに対応するデータパルスをアドレス電極に印加する段階とを含み、前記スキャンパルスは、スキャン基準電圧から第１中間電圧まで下降した後、第１中間電圧を維持してからスキャン電圧まで下降する。
【０００９】
前記スキャンパルスは、前記スキャン電圧から第２中間電圧まで上昇した後、前記第２中間電圧を維持してから前記スキャン基準電圧まで上昇することが好ましい。
【００１０】
前記スキャンパルスのスキャン電圧が前記スキャン電極に供給される間、前記データパルスのデータ電圧が前記アドレス電極に供給されることが好ましい。
【００１１】
前記第１中間電圧の絶対値と前記第２中間電圧の絶対値は実質的に同一であることが好ましい。
【００１２】
前記アドレス区間以後のサステイン区間の間、前記スキャン電極に前記正極性の電圧と負極性の電圧を交互に有するサステインパルスが印加され、サステイン電極にグラウンド電圧が印加されることが好ましい。
【００１３】
前記アドレス区間以後のサステイン区間の間、サステイン電極に正極性の電圧と負極性の電圧を交互に有するサステインパルスが印加され、前記スキャン電極にグラウンド電圧が印加されることが好ましい。
【００１４】
本発明の他の一実施形態に係るプラズマディスプレイ装置の駆動方法は、アドレス区間の間、スキャン電極に第１スキャンパルスを印加する段階と、前記アドレス区間の間、前記スキャン電極に前記第１スキャンパルスより遅く印加される第２スキャンパルスを印加する段階とを含み、前記第１スキャンパルスの第１スキャン電圧の絶対値は、第２スキャンパルスの第２スキャン電圧の絶対値より小さい。
【００１５】
前記アドレス区間以後のサステイン区間の間、前記スキャン電極に正極性の電圧と負極性の電圧を交互に有するサステインパルスが印加され、サステイン電極にグラウンド電圧が印加されることが好ましい。
【００１６】
前記サステインパルスの負極性の電圧の絶対値は、前記第２スキャンパルスのスキャン基準電圧の絶対値より大きく、前記第２スキャン電圧の絶対値より小さいことが好ましい。
【００１７】
前記アドレス区間以後のサステイン区間の間、サステイン電極に正極性の電圧と負極性の電圧を交互に有するサステインパルスが印加され、前記スキャン電極にグラウンド電圧が印加されることが好ましい。
【００１８】
前記サステインパルスの負極性の電圧の絶対値は、前記第２スキャンパルスのスキャン基準電圧の絶対値より大きく、前記第２スキャン電圧の絶対値より小さいことが好ましい。
【００１９】
前記第２スキャンパルスは、スキャン基準電圧から第１中間電圧まで下降した後、前記第１中間電圧を維持してから第２スキャン電圧まで下降することが好ましい。
【００２０】
前記第２スキャンパルスは、前記第２スキャン電圧から第２中間電圧まで上昇した後、前記第２中間電圧を維持してからスキャン基準電圧まで上昇することが好ましい。
【００２１】
前記第２スキャンパルスの前記第２スキャン電圧が前記スキャン電極に供給される間、前記第２スキャンパルスに対応するデータパルスのデータ電圧が前記アドレス電極に供給されることが好ましい。
【００２２】
前記第１中間電圧の絶対値と前記第２中間電圧の絶対値は、実質的に同一であることが好ましい。
【００２３】
前記第１スキャンパルスは、スキャン基準電圧から第３中間電圧まで下降した後、前記第３中間電圧を維持してから第１スキャン電圧まで下降することが好ましい。
【００２４】
前記第１スキャンパルスは、前記第１スキャン電圧から第４中間電圧まで上昇した後、前記第４中間電圧を維持してから前記スキャン基準電圧まで上昇することが好ましい。
【００２５】
前記第１スキャンパルスの前記第１スキャン電圧が前記スキャン電極に供給される間、前記第１スキャンパルスに対応するデータパルスのデータ電圧がアドレス電極に供給されることが好ましい。
【００２６】
前記第３中間電圧の絶対値と前記第４中間電圧の絶対値は実質的に同一であることが好ましい。
【発明の効果】
【００２７】
本発明によれば、本発明の一実施形態に係るプラズマディスプレイ装置のリセット区間で形成された壁電荷が時間経過によって消失されてアドレス区間でスキャン電極とアドレス電極との間に放電が正しく生じないという問題点を解決することができる効果がある。
【００２８】
また、スキャン電極とサステイン電極との間の電圧差を減らして誤放電が防止できる効果がある。
【発明を実施するための最良の形態】
【００２９】
以下、本発明の一実施形態に係る具体的な実施形態を添付の図面を参照しつつ説明する。
【００３０】
図１は、本発明の一実施形態に係るプラズマディスプレイ装置を説明するための図である。
【００３１】
図１に示すように、本発明の一実施形態に係るプラズマディスプレイ装置は、プラズマディスプレイパネル１００と、このようなプラズマディスプレイパネル１００の電極に所定の駆動電圧を供給するための駆動部、好ましくは、データ駆動部１０１、スキャン駆動部１０２、及びサステイン駆動部１０３を含む。
【００３２】
ここで、スキャン駆動部１０２、及びサステイン駆動部１０３は、第１駆動部であり、データ駆動部１０１は第２駆動部である。
【００３３】
ここで、プラズマディスプレイパネル１００は、前面パネル（図示せず）と後面パネル（図示せず）が一定の間隔を置いて合着し、多数の電極、例えば、スキャン電極（Ｙ）とサステイン電極（Ｚ）が複数個形成されることが好ましい。
【００３４】
このようなプラズマディスプレイパネル１００の構造を図２を参照して詳細に説明すれば、次の通りである。
【００３５】
図２は、本発明の一実施形態に係るプラズマディスプレイ装置において、プラズマディスプレイパネルの構造の一例を説明するための図である。
【００３６】
図２を説明すれば、本発明の一実施形態に係るプラズマディスプレイ装置のプラズマディスプレイパネル１００は、画像がディスプレイされる表示面である前面基板２０１にスキャン電極（Ｙ）２０２とサステイン電極（Ｚ）２０３が形成された前面パネル２００及び背面をなす後面基板２１１の上に前述したスキャン電極（Ｙ）２０２及びサステイン電極（Ｚ）２０３と交差するように複数のアドレス電極（Ｘ）２１３が配列された後面パネル２１０が一定の距離を置いて並んで結合される。
【００３７】
前面パネル２００は１つの放電空間、すなわち放電セルで相互放電させて、放電セルの発光を維持するためのスキャン電極（Ｙ）２０２及びサステイン電極（Ｚ）２０３、すなわち透明なＩＴＯ物質で形成された透明電極（ａ）と金属材質で製作されたバス電極（ｂ）で備えられたスキャン電極（Ｙ）２０２及びサステイン電極（Ｚ）２０３を含む。
【００３８】
スキャン電極（Ｙ）２０２及びサステイン電極（Ｚ）２０３は、放電電流を制限し、電極対間を絶縁させる１つ以上の上部誘電体層２０４により覆われて、上部誘電体層２０４の上面には放電条件を容易にするために酸化マグネシウム（ＭｇＯ）を蒸着した保護層２０５が形成される。
【００３９】
後面パネル２１０は複数個の放電空間、すなわち、放電セルを形成させるためのストライプタイプ（または、ウェルタイプ）の隔壁２１２が平行を維持して配列される。また、アドレス放電を遂行して真空紫外線を発生させる多数のアドレス電極（Ｘ）２１３が隔壁２１２に対して平行になるように配置される。
【００４０】
後面パネル２１０の上側面にはアドレス放電の際、画像表示のための可視光を放出するＲ、Ｇ、Ｂ蛍光体２１４が塗布される。アドレス電極（Ｘ）２１３と蛍光体２１４との間にはアドレス電極（Ｘ）２１３を保護するための下部誘電体層２１５が形成される。
【００４１】
ここで、図２では本発明が適用できるプラズマディスプレイパネルの一例のみを図示及び説明したものであって、本発明が図２の構造のプラズマディスプレイパネルに限定されるのではないことを明らかにする。
【００４２】
例えば、図２ではスキャン電極（Ｙ）２０２とサステイン電極（Ｚ）２０３は、各々透明電極（ａ）とバス電極（ｂ）からなるもののみを図示しているが、これとは異なり、スキャン電極（Ｙ）２０２とサステイン電極（Ｚ）２０３のうち、少なくとも１つ以上はバス電極（ｂ）だけで、または、透明電極（ａ）だけで構成されてもよい。
【００４３】
また、スキャン電極（Ｙ）２０２とサステイン電極（Ｚ）２０３が前面パネル２００に含まれて、アドレス電極（Ｘ）２１３は後面パネル２１０に含まれるもののみを図示及び説明しているが、前面パネル２００に全ての電極が形成されたり、またはスキャン電極（Ｙ）２０２、サステイン電極（Ｚ）２０３、アドレス電極（Ｘ）２１３のうち、少なくともいずれか１つの電極が隔壁２１２上に形成されてもよい。
【００４４】
このような図２の内容を考慮する際、本発明が適用できるプラズマディスプレイパネルは、駆動電圧を供給するためのスキャン電極（Ｙ）２０２、サステイン電極（Ｚ）２０３及びアドレス電極（Ｘ）２１３が形成されたものであり、その以外の条件は特に問題にはならない。
【００４５】
ここで、図２の説明を終えて、再び図１の説明に戻る。
【００４６】
スキャン駆動部１０２は、リセット期間にプラズマディスプレイパネル１００のスキャン電極（Ｙ）にセットアップパルス、セットダウンパルスを供給し、アドレス期間にスキャンパルスを供給し、サステイン期間に正極性の電圧及び負極性の電圧を有するサステインパルスを供給したり、グラウンド電圧を供給する。
【００４７】
サステイン駆動部１０３は、画像を表示するサステイン期間において、サステイン電極（Ｚ）にサステイン期間に正極性の電圧及び負極性の電圧を有するサステインパルスを供給したり、グラウンド電圧を供給する。
【００４８】
データ駆動部１０１は、アドレス期間において、プラズマディスプレイパネル１００のアドレス電極（Ｘ）にデータパルスを供給する。
【００４９】
図３は、１つのフレーム（frame）を複数のサブフィールドに分けて時分割駆動させる方法を示すタイミング図である。
【００５０】
図３に示すように、単位フレームは時分割階調表示を実現するために所定個数、例えば、８個のサブフィールド（ＳＦ１、・・・ＳＦ８）に分割される。また、各サブフィールド（ＳＦ１、・・・ＳＦ８）は、リセット区間（図示せず）と、アドレス区間（Ａ１、・・・、Ａ８）、及びサステイン区間（Ｓ１、・・・、Ｓ８）に分割される。
【００５１】
各アドレス区間（Ａ１、・・・、Ａ８）では、アドレス電極（Ｘ）にデータパルスが印加され、各スキャン電極（Ｙ）に相応するスキャンパルスが順次に印加される。
【００５２】
各サステイン区間（Ｓ１、・・・、Ｓ８）では、スキャン電極（Ｙ）またはサステイン電極（Ｚ）にサステインパルスが印加され、アドレス区間（Ａ１、・・・、Ａ８）で壁電荷が形成された放電セルでサステイン放電を起こす。
【００５３】
プラズマディスプレイパネルの輝度は、単位フレームで占めるサステイン放電区間（Ｓ１、・・・、Ｓ８）内のサステイン放電パルスの個数に比例する。１画像を形成する１つのフレームが、８個のサブフィールドと２５６階調で表現される場合、各サブフィールドには順に１、２、４、８、１６、３２、６４、１２８の割合で互いに異なるサステインパルスの数が割り当てられる。
【００５４】
１３３階調の輝度を得るためには、サブフィールド１区間、サブフィールド３区間及びサブフィールド８区間の間、セルをアドレッシングしてサステイン放電すればよい。
【００５５】
各サブフィールドに割り当てられるサステイン放電数は、ＡＰＣ（Automatic Power Control）段階に従うサブフィールドの加重値によって可変的に決まる。
【００５６】
また、各サブフィールドに割り当てられるサステイン放電数は、ガンマ特性やパネル特性を考慮して多様に変形してもよい。例えば、サブフィールド４に割り当てられた階調度を８から６に下げ、サブフィールド６に割り当てられた階調度を３２から３４に上げてもよい。また、１フレームを形成するサブフィールドの数も設計仕様により多様に変形してもよい。
【００５７】
図４Ａ乃至図４Ｂは、本発明の第１実施形態に係るプラズマディスプレイ装置の駆動方法に係る駆動波形を示す図である。
【００５８】
図４Ａに示すように、１つのサブフィールド（ＳＦ）は、リセット区間、アドレス区間、及びサステイン区間を含む。
【００５９】
リセット区間において、スキャン電極（Ｙ１、・・・、Ｙｎ）の各々にまずグラウンド電圧（ＧＮＤ）が印加され、サステイン電圧（Ｖｓ）が急激に印加された後、徐々に上昇する上りランプパルスが最高上昇電圧まで印加される。
【００６０】
前述のような上りランプパルスの印加により弱放電が発生し、弱放電が発生しながらスキャン電極の付近に負電荷が蓄積され始める。スキャン電極（Ｙ１、・・・、Ｙｎ）にグラウンド電圧（ＧＮＤ）まで急激に下降するパルスが印加された後、徐々に下降する下りランプパルスが印加されて最低下降電圧まで到達する。
【００６１】
下りランプパルスが印加されることにより放電が発生し、当該放電が発生しながらスキャン電極の付近に蓄積された負電荷の一部が放出される。結局、スキャン電極の付近にはアドレス放電が発生するのに適当な量の負電荷が残留することになる。サステイン電極（Ｚ）及びアドレス電極（Ｘ）にはグラウンド電圧（ＧＮＤ）が印加される。
【００６２】
サステイン電極（Ｚ）には、リセット区間だけでなく、アドレス区間及びサステイン区間全体にグラウンド電圧（ＧＮＤ）が印加されるので、サステイン電極（Ｚ）にパルスを印加していた回路を除去して駆動回路の製造コストを低減させることができる。
【００６３】
アドレス区間では、付かなければならないセルを選択するためにスキャン電極（Ｙ１、・・・、Ｙｎ）にまずスキャン基準電圧（Ｖｓｃ）が印加されてから順次にスキャン電極ごとに負極性のスキャン電圧（Ｖ２）を有するスキャンパルスが印加される。
【００６４】
アドレス電極（Ｘ）にデータ電圧（Ｖａ）を有するデータパルスがスキャンパルスに合せて印加される。サステイン電極（Ｚ）には続けてグラウンド電圧（ＧＮＤ）が印加される。
【００６５】
ここで、本発明の第１実施形態に係るプラズマディスプレイ装置の駆動方法に係る駆動波形のうち、アドレス区間の間スキャン電極（Ｙ）に印加されるスキャンパルスは、スキャン基準電圧（Ｖｓｃ）から第１中間電圧（Ｖ１）まで下降した後、第１中間電圧（Ｖ１）を維持してからスキャン電圧（Ｖ２）まで下降する。
【００６６】
以後、スキャンパルスに対応するデータパルスがデータ電圧（Ｖａ）を有する間、スキャンパルスはスキャン電圧（Ｖ２）を維持して付かなければならないセルを選択する。
【００６７】
次に、スキャン電圧（Ｖ２）から第２中間電圧（Ｖ３）まで上昇した後、第２中間電圧（Ｖ３）を維持してからスキャン基準電圧（Ｖｓｃ）まで上昇する。
【００６８】
従来では、スキャンパルスがスキャン電極（Ｙ）に印加される間、サステイン電極（Ｚ）に所定のバイアス電圧を供給してスキャン電極（Ｙ）とサステイン電極（Ｚ）との電圧差を減らして電極との誤放電が発生しないようにした。
【００６９】
しかしながら、本発明の第１実施形態に係るプラズマディスプレイ装置の駆動方法は、アドレス期間の間、サステイン電極（Ｚ）にグラウンド（ＧＮＤ）電圧が印加されるので、スキャン電極（Ｙ）との電圧差が生じ、誤放電が発生する。
【００７０】
したがって、本発明の第１実施形態に係るプラズマディスプレイ装置の駆動方法は、スキャンパルスが直ぐにスキャン電圧（Ｖ２）に下降するのでなく、第１及び第２中間電圧（Ｖ１、Ｖ３）を介して下降、上昇するようにすることで、スキャン電極（Ｙ）とサステイン電極（Ｚ）との電圧差を減らしてスキャン電極（Ｙ）とサステイン電極（Ｚ）との間での誤放電の発生を防止するものである。
【００７１】
ここで、第１中間電圧（Ｖ１）の絶対値と第２中間電圧（Ｖ３）の絶対値は実質的に同一である。 
【００７２】
データ電圧（Ｖａ）、スキャン電圧（Ｖ２）、及びスキャン電極（Ｙ）の付近に形成された負電荷による壁電圧及びアドレス電極（Ｘ）の付近に形成された正電荷による壁電圧によりアドレス放電が遂行される。
【００７３】
アドレス放電遂行の後、スキャン電極（Ｙ）の付近には正電荷が蓄積され、サステイン電極（Ｚ）の付近には負電荷が蓄積される。
【００７４】
サステイン区間において、スキャン電極（Ｙ１、・・・、Ｙｎ）には正極性のサステイン電圧（Ｖｓ）と負極性のサステイン電圧（−Ｖｓ）を有するサステインパルスが交互に印加され、サステイン電極（Ｚ）にはグラウンド電圧（ＧＮＤ）が印加される。
【００７５】
図４Ａに示すように、サステイン区間において、スキャン電極（Ｙ）には正極性のサステイン電圧（Ｖｓ）と負極性のサステイン電圧（−Ｖｓ）との間にグラウンド電圧（ＧＮＤ）が印加される。
【００７６】
グラウンド電圧（ＧＮＤ）が更に印加されることで、正極性のサステイン電圧（Ｖｓ）と負極性のサステイン電圧（−Ｖｓ）との間の急激な電圧変化を防止することになる。
【００７７】
スキャン電極（Ｙ）に正極性のサステイン電圧（Ｖｓ）が印加される場合、サステイン電極（Ｙ）に印加された正極性のサステイン電圧（Ｖｓ）、サステイン電極（Ｚ）に印加されたグラウンド電圧（ＧＮＤ）、スキャン電極（Ｙ）の付近に蓄積されていた正電荷による壁電圧及びサステイン電極（Ｚ）の付近に蓄積されていた負電荷による壁電圧によりサステイン放電が遂行されながら、スキャン電極（Ｙ）の付近には負電荷が蓄積され、サステイン電極（Ｚ）の付近には正電荷が蓄積される。
【００７８】
スキャン電極（Ｙ）に負極性のサステイン電圧（−Ｖｓ）が印加される場合、スキャン電極（Ｙ）に印加された負極性のサステイン電圧（−Ｖｓ）、サステイン電極（Ｚ）に印加されたグラウンド電圧（ＧＮＤ）、スキャン電極（Ｙ）の付近に蓄積された負電荷による壁電圧及びサステイン電極（Ｚ）に蓄積された正電荷による壁電圧によりサステイン放電が遂行されながら、スキャン電極（Ｙ）の付近には正電荷が蓄積され、サステイン電極（Ｚ）の付近には負電荷が蓄積される。
【００７９】
前記のように、正極性のサステイン電圧（Ｖｓ）と負極性のサステイン電圧（−Ｖｓ）が交互にスキャン電極（Ｙ）に繰り返して印加されることによって、サステイン放電が予め設定された回数だけ発生することになる。
【００８０】
ここで、図４Ａでは、サステイン期間の間、スキャン電極（Ｙ１、・・・、Ｙｎ）には正極性のサステイン電圧（Ｖｓ）と負極性のサステイン電圧（−Ｖｓ）を有するサステインパルスが交互に印加され、サステイン電極（Ｚ）にはグラウンド電圧（ＧＮＤ）が印加されることと図示及び説明したが、これに限定されるのではない。
【００８１】
図４Ｂに示すように、サステイン期間の間、サステイン電極（Ｚ）には正極性のサステイン電圧（Ｖｓ）と負極性のサステイン電圧（−Ｖｓ）を有するサステインパルスが交互に印加され、スキャン電極（Ｙ）にはグラウンド電圧（ＧＮＤ）が印加されてもよい。
【００８２】
図５Ａ乃至図５Ｂは、本発明の第２実施形態に係るプラズマディスプレイ装置の駆動方法に係る駆動波形を示す図である。
【００８３】
ここで、本発明の第２実施形態に係るプラズマディスプレイ装置の駆動方法に関する特徴の内、図４Ａ乃至図４Ｂに記述された本発明の第１実施形態に係るプラズマディスプレイ装置の駆動方法に関する特徴と実質的に同一な特徴はその説明を省略する。
【００８４】
図５Ａに示すように、アドレス区間において、スキャン電極（Ｙ１、・・・、Ｙｎ）に順次にスキャンパルスを印加する際、時間経過によって、すなわちスキャン順序において後に行くほどスキャン電極ライン（Ｙ１、・・・、Ｙｎ）に印加されるスキャンパルスの絶対値を増加させる。
【００８５】
例えば、第１スキャンパルスはスキャン電極ライン（Ｙ１、・・・、Ｙｎ）のうち、一番目のスキャン電極（Ｙ１）に印加され、第２スキャンパルスはスキャン電極ライン（Ｙ１、・・・、Ｙｎ）のうち、ｎ番目のスキャン電極（Ｙｎ）に印加される際、第２スキャンパルスは第１スキャンパルスより時間的に遅く印加されるようになる。
【００８６】
この場合、第１スキャンパルスの第１スキャン電圧（Ｖｓ１）の絶対値と第２スキャンパルスの第２スキャン電圧（Ｖｓ２）の絶対値が同一であれば、リセット区間で電極に形成された壁電荷が時間経過によって消失する。特に高温で電荷の運動エネルギーが大きくなることにより壁電荷の消失が大きくなって、アドレス区間から後に行くほどスキャンパルスとアドレスパルスの外部印加電圧によりスキャン電極とアドレス電極との間の放電が十分に生じないという問題が発生する。
【００８７】
しかしながら、第１スキャンパルスの第１スキャン電圧（Ｖｓ１）の絶対値より第２スキャンパルスの第２スキャン電圧（Ｖｓ２）の絶対値を大きくすることで、すなわち、時間経過によってスキャン電極（Ｙ１、・・・、Ｙｎ）に印加されるスキャンパルスの絶対値を増加させることによって、リセット区間に形成されたスキャン電極（Ｙ）とアドレス電極（Ｘ）の壁電荷が消失されて両電極間の壁電圧が減少しても、スキャンパルスとアドレス電極（Ｘ）に印加されるデータパルスの電圧差である外部印加電圧が増加して、両電極間のアドレス放電が容易に発生する。
【００８８】
ここで、図５Ａでは、サステイン期間の間、スキャン電極（Ｙ１、・・・、Ｙｎ）には正極性のサステイン電圧（Ｖｓ）と負極性のサステイン電圧（−Ｖｓ）を有するサステインパルスが交互に印加され、サステイン電極（Ｚ）にはグラウンド電圧（ＧＮＤ）が印加されることと図示及び説明したが、これに限定されるのではない。
【００８９】
図５Ｂに示すように、サステイン期間の間、サステイン電極（Ｚ）には正極性のサステイン電圧（Ｖｓ）と負極性のサステイン電圧（−Ｖｓ）を有するサステインパルスが交互に印加され、スキャン電極（Ｙ）にはグラウンド電圧（ＧＮＤ）が印加されてもよい。
【００９０】
ここで、スキャン電極（Ｙ）またはサステイン電極（Ｚ）に印加されるサステインパルスのうち、負極性のサステイン電圧（−Ｖｓ）の絶対値はアドレス期間の間、スキャン電極（Ｙ）に供給されるスキャン基準電圧（Ｖｓｃ）の絶対値より大きくて、第２スキャンパルスの第２スキャン電圧（Ｖｓ２）より小さくてもよい。
【００９１】
図６Ａ乃至図６Ｂは、本発明の第３実施形態に係るプラズマディスプレイ装置の駆動方法に係る駆動波形を示す図である。
【００９２】
ここで、本発明の第３実施形態に係るプラズマディスプレイ装置の駆動方法に関する特徴の内、図５Ａ乃至図５Ｂで記述された本発明の第２実施形態に係るプラズマディスプレイ装置の駆動方法に関する特徴と実質的に同一な特徴はその説明を省略する。
【００９３】
図６Ａに示すように、アドレス区間に第１スキャンパルスより時間的に遅く印加される第２スキャンパルスの場合、スキャン基準電圧（Ｖｓｃ）から第１中間電圧（Ｖ１）まで下降した後、第１中間電圧（Ｖ１）を維持してから第２スキャン電圧（Ｖｓ２）まで下降する。
【００９４】
以後、第２スキャンパルスに対応するデータパルスがデータ電圧（Ｖａ）を有する間、第２スキャンパルスは第２スキャン電圧（Ｖｓ２）を維持して付かなければならないセルを選択する。
【００９５】
次に、第２スキャン電圧（Ｖｓ２）から第２中間電圧（Ｖ２）まで上昇した後、第２中間電圧（Ｖ２）を維持してからスキャン基準電圧（Ｖｓｃ）まで上昇する。
【００９６】
従来では、スキャンパルスがスキャン電極（Ｙ）に印加される間、サステイン電極（Ｚ）に所定のバイアス電圧を供給してスキャン電極（Ｙ）とサステイン電極（Ｚ）との電圧差を減らして電極との誤放電が発生しないようにした。
【００９７】
しかしながら、本発明の第３実施形態に係るプラズマディスプレイ装置の駆動方法は、アドレス期間の間、サステイン電極（Ｚ）にグラウンド（ＧＮＤ）電圧が印加されるので、スキャン電極（Ｙ）との電圧差が生じ、誤放電が発生する。
【００９８】
したがって、本発明の第３実施形態に係るプラズマディスプレイ装置の駆動方法は、第２スキャンパルスが直ぐに第２スキャン電圧（Ｖｓ２）に下降するのでなく、第１及び第２中間電圧（Ｖ１、Ｖ２）を介して下降、上昇するようにすることで、スキャン電極（Ｙ）とサステイン電極（Ｚ）との電圧差を減らしてスキャン電極（Ｙ）とサステイン電極（Ｚ）との間での誤放電の発生を防止するものである。
【００９９】
ここで、第１中間電圧（Ｖ１）の絶対値と第２中間電圧（Ｖ２）の絶対値は実質的に同一である。
【０１００】
ここで、図６Ａでは、サステイン期間の間、スキャン電極（Ｙ１、・・・、Ｙｎ）には正極性のサステイン電圧（Ｖｓ）と負極性のサステイン電圧（−Ｖｓ）を有するサステインパルスが交互に印加され、サステイン電極（Ｚ）にはグラウンド電圧（ＧＮＤ）が印加されることと図示及び説明したが、これに限定されるのではない。
【０１０１】
図６Ｂに示すように、サステイン期間の間、サステイン電極（Ｚ）には正極性のサステイン電圧（Ｖｓ）と負極性のサステイン電圧（−Ｖｓ）を有するサステインパルスが交互に印加され、スキャン電極（Ｙ）にはグラウンド電圧（ＧＮＤ）が印加されてもよい。
【０１０２】
図７Ａ乃至図７Ｂは、本発明の第４実施形態に係るプラズマディスプレイ装置の駆動方法に係る駆動波形を示す図である。
【０１０３】
ここで、本発明の第４実施形態に係るプラズマディスプレイ装置の駆動方法に関する特徴の内、図６Ａ乃至図６Ｂに記述された本発明の第３実施形態に係るプラズマディスプレイ装置の駆動方法に関する特徴と実質的に同一な特徴はその説明を省略する。
【０１０４】
図７Ａに示すように、アドレス区間に第１スキャンパルスより時間的に遅く印加される第２スキャンパルスの場合、スキャン基準電圧（Ｖｓｃ）から第１中間電圧（Ｖ１）まで下降した後、第１中間電圧（Ｖ１）を維持してから第２スキャン電圧（Ｖｓ２）まで下降する。
【０１０５】
以後、第２スキャンパルスに対応するデータパルスがデータ電圧（Ｖａ）を有する間、第２スキャンパルスは第２スキャン電圧（Ｖｓ２）を維持して付かなければならないセルを選択する。
【０１０６】
次に、第２スキャン電圧（Ｖｓ２）から第２中間電圧（Ｖ２）まで上昇した後、第２中間電圧（Ｖ２）を維持してからスキャン基準電圧（Ｖｓｃ）まで上昇する。
【０１０７】
同様に、第１スキャンパルスもスキャン基準電圧（Ｖｓｃ）から第３中間電圧（Ｖ３）まで下降した後、第３中間電圧（Ｖ３）を維持してから第１スキャン電圧（Ｖｓ１）まで下降する。
【０１０８】
以後、第１スキャンパルスに対応するデータパルスがデータ電圧（Ｖａ）を有する間、第１スキャンパルスは第１スキャン電圧（Ｖｓ１）を維持して付かなければならないセルを選択する。
【０１０９】
次に、第１スキャン電圧（Ｖｓ１）から第４中間電圧（Ｖ４）まで上昇した後、第４中間電圧（Ｖ４）を維持してからスキャン基準電圧（Ｖｓｃ）まで上昇する。
【０１１０】
従来では、スキャンパルスがスキャン電極（Ｙ）に印加される間、サステイン電極（Ｚ）に所定のバイアス電圧を供給してスキャン電極（Ｙ）とサステイン電極（Ｚ）との電圧差を減らして電極との誤放電が発生しないようにした。
【０１１１】
しかしながら、本発明の第４実施形態に係るプラズマディスプレイ装置の駆動方法は、アドレス期間の間、サステイン電極（Ｚ）にグラウンド（ＧＮＤ）電圧が印加されるので、スキャン電極（Ｙ）との電圧差が生じ、誤放電が発生する。
【０１１２】
したがって、本発明の第４実施形態に係るプラズマディスプレイ装置の駆動方法は、第１及び第２スキャンパルスが直ぐに第１スキャン電圧（Ｖｓ２）及び第２スキャン電圧（Ｖｓ２）に下降するのでなく、中間電圧（Ｖ１、Ｖ２、Ｖ３、Ｖ４）を介して下降、上昇するようにすることで、スキャン電極（Ｙ）とサステイン電極（Ｚ）との電圧差を減らしてスキャン電極（Ｙ）とサステイン電極（Ｚ）との間での誤放電の発生を防止するものである。
【０１１３】
ここで、第１中間電圧（Ｖ１）の絶対値と第２中間電圧（Ｖ２）の絶対値は実質的に同一であり、第３中間電圧（Ｖ３）の絶対値と第４中間電圧（Ｖ４）の絶対値は実質的に同一である。
【０１１４】
ここで、図７Ａでは、サステイン期間の間、スキャン電極（Ｙ１、・・・、Ｙｎ）には正極性のサステイン電圧（Ｖｓ）と負極性のサステイン電圧（−Ｖｓ）を有するサステインパルスが交互に印加され、サステイン電極（Ｚ）にはグラウンド電圧（ＧＮＤ）が印加されることと図示及び説明したが、これに限定されるのではない。
【０１１５】
図７Ｂに示すように、サステイン期間の間、サステイン電極（Ｚ）には正極性のサステイン電圧（Ｖｓ）と負極性のサステイン電圧（−Ｖｓ）を有するサステインパルスが交互に印加され、スキャン電極（Ｙ）にはグラウンド電圧（ＧＮＤ）が印加されてもよい。
【図面の簡単な説明】
【０１１６】
【図１】本発明の一実施形態に係るプラズマディスプレイ装置を説明するための図である。
【図２】本発明の一実施形態に係るプラズマディスプレイ装置におけるプラズマディスプレイパネルの構造の一例を説明するための図である。
【図３】１つのフレーム（frame）を複数のサブフィールドに分けて時分割駆動させる方法を示すタイミング図である。
【図４Ａ】本発明の第１実施形態に係るプラズマディスプレイ装置の駆動方法による駆動波形を示す図である。
【図４Ｂ】本発明の第１実施形態に係るプラズマディスプレイ装置の駆動方法による駆動波形を示す図である。
【図５Ａ】本発明の第２実施形態に係るプラズマディスプレイ装置の駆動方法による駆動波形を示す図である。
【図５Ｂ】本発明の第２実施形態に係るプラズマディスプレイ装置の駆動方法による駆動波形を示す図である。
【図６Ａ】本発明の第３実施形態に係るプラズマディスプレイ装置の駆動方法による駆動波形を示す図である。
【図６Ｂ】本発明の第３実施形態に係るプラズマディスプレイ装置の駆動方法による駆動波形を示す図である。
【図７Ａ】本発明の第４実施形態に係るプラズマディスプレイ装置の駆動方法による駆動波形を示す図である。
【図７Ｂ】本発明の第４実施形態に係るプラズマディスプレイ装置の駆動方法による駆動波形を示す図である。
【符号の説明】
【０１１７】
１００    プラズマディスプレイパネル
１０１    データ駆動部
１０２    スキャン駆動部
１０３    サステイン駆動部
２００    前面パネル
２０２    スキャン電極
２０３    サステイン電極
２１０    後面パネル
２１１    後面基板
２１３    アドレス電極
【図１】
2007249207.tif 000003
【図２】
2007249207.tif 000004
【図３】
2007249207.tif 000005
【図４Ａ】
2007249207.tif 000006
【図４Ｂ】
2007249207.tif 000007
【図５Ａ】
2007249207.tif 000008
【図５Ｂ】
2007249207.tif 000009
【図６Ａ】
2007249207.tif 000010
【図６Ｂ】
2007249207.tif 000011
【図７Ａ】
2007249207.tif 000012
【図７Ｂ】
2007249207.tif 000013